(57)【要約】      （修正有）【課題】１組のシャワーユニットを水栓または機能水生成システムと接続させて使用することができ、かつ、水栓と接続をさせたシャワーユニットから吐水がされている場合には、水栓からシャワーユニットが脱離するのを防止することができる水回り設備システムの提供。【解決手段】シャワーユニット４に設けられた第１の接続手段５と、水栓８に設けられ第１の接続手段５と接続可能な第２の接続手段９と、機能水生成システム１６の吐水口に設けられ、第１の接続手段５と接続可能な第３の接続手段２と、水栓６に設けられる保持手段９ａ、９ｂと、水栓８に設けられ、保持手段による保持と、保持の解除とを切り替える切替手段８ｂを備え、シャワーユニット４から吐水がされる場合には、切替手段８ｂが切り替えられることにより第１の接続手段５と第２の接続手段９との接続が保持されることを特徴とする水回り設備システムが提供される。【選択図】図１
2008266967.tif 000002
【特許請求の範囲】
【請求項１】
機能水を生成する機能水生成システムと、水栓と、１組のシャワーユニットと、を有する水回り設備システムであって、
前記シャワーユニットに設けられた第１の接続手段と、
前記水栓に設けられ、前記第１の接続手段と接続可能な第２の接続手段と、
前記機能水生成システムの吐水口に設けられ、前記第１の接続手段と接続可能な第３の接続手段と、
前記水栓に設けられ、前記第１の接続手段と前記第２の接続手段とが接続された際に、前記第１の接続手段と前記第２の接続手段とが脱離しないように接続状態を保持する保持手段と、      
前記水栓に設けられ、前記保持手段による前記保持と、前記保持の解除とを切り替える切替手段と、を備え、
前記シャワーユニットから吐水をさせる場合には、前記切替手段が切り替えられて、前記保持手段による前記保持が行われること、を特徴とする水回り設備システム。
【請求項２】
前記水栓には、カランと、
前記第２の接続手段への通水と前記カランへの通水との切替、または、止水を行う切替ハンドルが設けられ、
前記切替手段としての前記切替ハンドルの動きに連動して前記保持手段が前記保持を行うこと、を特徴とする請求項１記載の水回り設備システム。
【請求項３】
前記切替ハンドルにより止水がされた場合、または、前記カランへの通水に切り替えられた場合には、前記保持手段による前記保持が解除されること、を特徴とする請求項２記載の水回り設備システム。
【請求項４】
前記第１の接続手段と、前記第２の接続手段と、前記第３の接続手段とには、分離された際に流路を閉じるバルブがそれぞれ設けられていること、を特徴とする請求項１〜３のいずれか１つに記載の水回り設備システム。
【請求項５】
前記シャワーユニットに設けられたシャワーヘッドと、
前記シャワーヘッドを保持する保持具と、
を備え、
前記保持具は、前記シャワーヘッドを保持した際に、前記第１の接続手段が前記第２の接続手段または前記第３の接続手段のいずれとも接続可能となる位置に設けられていること、を特徴とする請求項１〜４のいずれか１つに記載の水回り設備システム。
【請求項６】
洗い場と、
浴槽と、
を備えたことを特徴とする請求項１〜５のいずれか１つに記載の水回り設備システム。
【発明の詳細な説明】
【技術分野】
【０００１】
本発明は、機能水生成システムとシャワーユニットとを備えた浴室、洗面所、洗髪器などの水回り設備システムに関する。
【背景技術】
【０００２】
浴室などの水回り設備の汚れには、人体の洗浄に使用された石鹸やシャンプーなどのかす、人体から発生した垢（タンパク質系、炭水化物系、油脂系、塩類等）などがあるが、このような汚れを除去するためには大変な労力がかかる。  
そのため、これらの汚れを除去しつつ、浴槽や洗い場におけるヌメリの発生を抑制するための洗浄装置が提案されている（特許文献１を参照）。    
この特許文献１に開示されている技術では、水道水などを吐水させるための吐水具とは別に機能水を吐水させるための専用の吐水具を設けるようにしている。しかしながら、このように２つの吐水具を設けるものとすれば、構造が複雑化するとともにコストの増大を招くおそれがあった。また、浴室、洗面所などの比較的狭いスペースに２つの吐水具を設けるようにすれば、煩雑感が増し商品性が低下するおそれもあった。
【０００３】
また、薬剤の投入と停止とを切り替えることができる薬剤混入吐出装置が提案されている（特許文献２を参照）。    
しかしながら、１つの水栓に薬剤混入機能と通常の水道水の吐水機能とを一体化させて設けるものとすれば、薬剤混入機能の有無で水栓自体の構成が変わり商品構成の複雑化、製造コストの増加を招くおそれがあった。  
また、設置工事の際に、シャワーユニットなどをワンタッチで供給配管と接続させることができ、かつ、接続後の抜けを防止することができる接続手段が提案されている。
【０００４】
しかしながら、特許文献３に開示されている技術では、抜け防止用の部材を操作者が取り外さなくてはならず作業が煩雑となるため、日常的な接続と分離を行うようなものには適さないものとなっていた。
【特許文献１】特開平９−２２０２７３号公報
【特許文献２】特開２００１−１９０４４１号公報
【特許文献３】特開２００２−２６７０７７号公報
【発明の開示】
【発明が解決しようとする課題】
【０００５】
本発明は、１組のシャワーユニットを水栓または機能水生成システムと接続させて使用することができ、かつ、水栓と接続をさせたシャワーユニットから吐水がされている場合には、水栓からシャワーユニットが脱離するのを防止することができる水回り設備システムを提供する。
【課題を解決するための手段】
【０００６】
本発明の一態様によれば、機能水を生成する機能水生成システムと、水栓と、１組のシャワーユニットと、を有する水回り設備システムであって、前記シャワーユニットに設けられた第１の接続手段と、前記水栓に設けられた前記第１の接続手段と接続可能な第２の接続手段と、前記機能水生成システムの吐水口に設けられた前記第１の接続手段と接続可能な第３の接続手段と、前記水栓に設けられ、前記第１の接続手段と前記第２の接続手段とが接続された際に、前記第１の接続手段と前記第２の接続手段とが脱離しないように接続状態を保持する保持手段と、前記水栓に設けられ、前記保持手段による保持と、前記保持の解除とを切り替える切替手段と、を備え、前記シャワーユニットから吐水がされる場合には、前記切替手段が切り替えられることにより前記第１の接続手段と前記第２の接続手段との接続が保持されること、を特徴とする水回り設備システムが提供される。
【発明の効果】
【０００７】
本発明によれば、１組のシャワーユニットを水栓または機能水生成システムと接続させて使用することができ、かつ、水栓と接続をさせたシャワーユニットから吐水がされている場合には、水栓からシャワーユニットが脱離するのを防止することができる水回り設備システムが提供される。
【発明を実施するための最良の形態】
【０００８】
以下、図面を参照しつつ、本発明の実施の形態について説明をする。  
尚、説明の便宜上、本発明の実施の形態に係る水回り設備システムを浴室ユニットに適用させた場合を説明する。ただし、本発明はこれに限定されるわけではなく、例えば、洗面所、洗髪器などの水回り設備に広く適用させることができる。
【０００９】
図１は、本発明の実施の形態に係る水回り設備システムを浴室ユニットに適用させた場合を例示するための模式斜視図である。    
また、図２、図３は、水回り設備システムの構成を例示するための模式図である。
【００１０】
図１に示すように、浴室ユニットの浴室１０には、水回り設備システム１、浴槽１１、カウンター１２、洗い場床面１３、シャワーヘッドの保持具２６などが備えられている。また、この他にも図示しない鏡、給湯制御パネルなどが適宜備えられている。  
また、水回り設備システム１には、機能水生成システム１６、シャワーユニット４、湯水混合水栓８が設けられている。  
カウンター１２は、洗い場床面１３の直上であって、湯水混合水栓８よりは下方に配設されている。そして、カウンター１２の下方には、機能水生成システム１６が設けられている。
【００１１】
図２、図３に示すように、機能水生成システム１６には、通水の上流側から順番に開閉弁１４、機能水生成手段１５、接続手段２が設けられている。そして、それぞれが配管で直列に接続され、開閉弁１４に供給された水道水などの水Ｃが通水可能となっている。  
尚、図２に例示をしたものでは、水道水などの水Ｃの配管が開閉弁１４に接続されているが、温水Ｈの配管が接続されていてもよい。そのようにすれば、温水Ｈを吐水させることができるので、有機物などの分解、剥ぎ落としが促進され、洗浄効果をより高めることができる。そのため、本明細書において「水」という時には、冷水のみならず温水をも含む場合があるものとする。
【００１２】
また、機能水生成システム１６には、制御手段１７と操作手段３が設けられている。制御手段１７と、開閉弁１４、機能水生成手段１５、操作手段３とは、それぞれ電気的に接続されている。そのため、操作手段３からの信号を制御手段１７が受信可能となっており、また、制御手段１７による開閉弁１４、機能水生成手段１５の制御が可能となっている。
【００１３】
操作手段３には、例えば、吐水の開始を入力するためのスイッチ３ａ、吐水の停止を入力するためのスイッチ３ｂ、機能水生成の開始・停止を入力するためのスイッチ３ｃを設けることができる。ただし、例示したものに限定されるわけではなく、適宜変更、追加、削除をすることができる。例えば、吐水の開始・停止を入力するためのスイッチとして、スイッチ３ａと３ｂとを一体化することもできるし、後述する警告の解除、タイマーの設定などのスイッチを設けるようにすることもできる。また、後述する警告表示を表示させる手段を設けるようにすることもできる。
【００１４】
開閉弁１４としては、例えば、電磁弁を例示することができる。ただし、これに限定されるわけではなく、流量制御をするための絞り手段や圧力制御をするための圧力制御手段を併せ持つようなものであってもよい。また、電磁弁の開閉により吐水を断続的にしたり、吐水圧の高低を切り替えて吐水圧を断続的にすることにより、洗浄効果を高めるようにすることもできる。  
制御手段１７は、論理演算手段や記憶手段などを備え、操作手段３からの情報や予め記憶されたプログラムなどに基づいて開閉弁１４、機能水生成手段１５の制御を行う。
【００１５】
シャワーユニット４には、接続手段５、ホース６、シャワーヘッド７が設けられている。接続手段５とシャワーヘッド７とはホース６を介して連通され、接続手段５を介して供給された水道水などの水・温水や機能水がシャワーヘッド７から吐水可能となっている。ホース６は、可撓性を有する管状体であり、例えば、ゴムなどの弾性体から構成されている。接続手段５は、接続手段２または接続手段９と液密に接続可能とされている。尚、接続・分離の操作性からは、接続手段２、接続手段５、接続手段９は、いわゆる「ワンタッチ式」の接続手段であることが好ましい。  
保持具２６は、浴室１０の壁面に設けられシャワーヘッド７を保持する。尚、保持具２６の配置は、シャワーヘッド７を保持具２６に保持させた際に、接続手段５が接続手段２または接続手段９のいずれとも接続可能となるような位置にすることが好ましい。
【００１６】
水栓としての湯水混合水栓８には、水道水などの水Ｃの配管と温水Ｈの配管とが接続されている。また、湯水混合水栓８には、接続手段９が設けられ、接続手段９を介して水道水などの水Ｃや温水Ｈが吐水可能とされている。  
また、接続手段９から接続手段５が脱離するのを防止するための保持手段９ａ（図２を参照）、保持手段９ｂ（図３を参照）が設けられている。尚、保持手段９ａ、保持手段９ｂについては後述する（図６〜図８を参照）。
【００１７】
湯水混合水栓８には、切替ハンドル８ｂが設けられている。そして、切替ハンドル８ｂによりカラン８ａ側と接続手段９側への通水の切替、止水が行えるようになっている。尚、
水道水などの水Ｃと温水Ｈとの混合割合の調整を行う手段などを設けるようにすることもできる。
【００１８】
また、温水Ｈの配管は必ずしも必要ではなく、水道水などの水Ｃの配管のみが接続されている水栓であってもよい。ただし、温水Ｈの配管がされ、温水Ｈを吐水させることができれば、人体洗浄などをするのに好適である。また、後述する「前洗浄」の際にも有機物などの分解、剥ぎ落としが促進され、洗浄効果をより高めることができる。          
尚、接続手段２、接続手段５、接続手段９については後述する（図６を参照）。
【００１９】
図１に例示をしたものでは、機能水生成システム１６をカウンター１２の下方に設けるものとしているが、浴室１０の任意の位置に配設することもできる。ただし、カウンター１２の下方に設けるものとすれば、人体との干渉の抑制や煩雑感の低減を図ることができる。この場合、機能水生成システム１６のすべての要素がカウンター１２の下方に設けられている必要はなく、例えば、接続手段２、操作手段３のみが設けられているようにすることもできる。
【００２０】
また、カウンター１２の下方における奥行き寸法方向の取り付け位置も適宜選択することができる。ここで、カウンター１２の突出端（前面端）から後退した位置に機能水生成システム１６を設け、突出端から出っ張らないようにすることが好ましい。そのようにすれば、入浴時の人体洗浄の際に人体と干渉することを抑制することができ、また、煩雑感がなくなるため見た目にも優れているからである。尚、機能水生成システム１６の取り付け位置を調整できるようにしておき、設置される浴室のカウンター１２に合わせた設定をすることもできる。
【００２１】
機能水生成手段１５で生成される機能水としては、例えば、銀イオン水、電解次亜塩素酸水、強酸性水、強アルカリ性水、弱酸性水、弱アルカリ性水、オゾン水、マグネシウム添加水、アスコルビン酸・亜硫酸カルシウム添加水などを例示することができる。    
これらのうち、銀イオン水、電解次亜塩素酸水、強酸性水、弱酸性水、オゾン水は殺菌作用を有する。また、強酸性水、強アルカリ水、弱酸性水、弱アルカリ水、オゾン水は、洗い場などに付着した垢などの有機物を分解除去する作用を有する。また、電解次亜塩素酸水は漂白作用を、マグネシウム添加水は皮膚のバリア作用を、アスコルビン酸・亜硫酸カルシウム添加水は脱塩素作用を有する。    
そのため、浴槽や洗い場などの洗浄・殺菌の他にも、目的に応じた機能水を生成することで各種の用途（例えば、脱塩素がされた水による洗髪など）に利用することもできる。
【００２２】
図４は、機能水生成手段１５として用いることができるオゾン水生成手段３１を例示するための模式断面図である。    
オゾン水生成手段３１に備えられている気体混入混合室３２には、気泡分散機構３３が設けられており、液体管路３４から供給される水に対して、気泡分散機構３３により気体の混入、微細化、分散、混合が同時に行われる。気泡分散機構３３には気体室３５が設けられており、気体室３５には気体導入管路３６からオゾンが供給される。液体管路３４は、水道水などの水の配管や温水の配管と接続されている。また、気体導入管路３６には図示しないオゾン供給手段が接続されている。尚、本実施の形態においては、制御手段１７により図示しない開閉弁などを制御して、オゾン水生成手段３１へのオゾンの供給を制御することになる。
【００２３】
図５は、機能水生成手段１５として用いることができる創水手段４１を例示するための模式断面図である。    
創水手段４１は、水を電気分解することにより、酸性水とアルカリ性水とを生成する。創水手段４１から導出したアルカリ性水導出管４２と酸性水導出管４３は、三方切換弁４４に接続されており、この三方切換弁４４の他の一端が、接続手段２と接続されている。すなわち、三方切換弁４４を切り替えることにより酸性水またはアルカリ性水のいずれかを接続手段２から吐水可能としている。
【００２４】
創水手段４１に備えられているケーシング４５は、その内部を隔膜４６によりアルカリ性水生成室４７と酸性水生成室４８とに区画されており、各生成室４７、４８ には、それぞれステンレス鋼やカーボン等からなる電極（陰極）４９と、ステンレス，白金，酸化チタンなどからなる電極（陽極）５１とが配設されている。また、酸性水生成室４８には酸性水導出管４３が連通するように接続されており、アルカリ性水生成室４７にはアルカリ性水導出管４２が連通するように接続されている。導入管５５は、水道水などの水の配管や温水の配管と接続されている。  
電極４９、５１から導出した電線５２、５３の導出端は、電源５４と接続されており、電源５４から電極４９、５１間に電圧が印加できるようになっている。
【００２５】
そして、この電圧印加により、水が電気分解され、アルカリ性水生成室４７のＰＨ値が高くなり、アルカリ性水が生成される。一方、酸性水生成室４８内のＰＨ値は低くなり、酸性水が生成されることになる。尚、本実施の形態においては、制御手段１７により電源５４を制御して、アルカリ性水や酸性水の生成を制御することになる。  
尚、これらの方法による機能水の生成に限定されるわけではなく、例えば、機能水（例えば、濃縮液）や薬剤などを予め生成し、これを適宜ポンプなどで投入するようにすることもできる。この場合、制御手段１７によりポンプなどの投入手段の制御を行うことで機能水の生成を制御することになる。
【００２６】
また、殺菌作用を有する機能水は前述のものに限定されるわけではなく、殺菌性物質又はイオンを含有する水とすることができる。具体的には、遊離塩素、抗菌性金属（例えば、銀、銅、亜鉛等）又はそのイオン、オゾン、オゾン含有水、結合塩素、有機塩素系消毒液、有機リン酸系消毒液、ベルオクソ炭酸イオン又はその塩、アルコール系消毒液などを挙げることができる。
【００２７】
このような、殺菌作用を有する機能水（殺菌水）は、例えば、電気分解法を用いて生成することができる。具体的には、銀イオンを含む殺菌水を生成する場合においては、溶出管の内部に銀からなる一対の電極を対峙して設け、これに電源から所定の電流を流すようなものを例示することができる。また、遊離塩素含有水は、塩素イオンを含む水（例えば、水道水）を塩素発生用電極を用いて電気分解することにより生成することができる。尚、電気分解法による殺菌水の生成に限定されるわけではなく、例えば、殺菌水（例えば、濃縮液）や薬剤を予め生成し、これを適宜ポンプなどで投入するようなものであってもよい。電気分解法を用いる場合においては、制御手段１７により、電源のＯＮ／ＯＦＦや出力調整などの制御が行われ、予め生成された殺菌水などを投入する場合においては、ポンプなどの投入手段の制御が行われる。
【００２８】
尚、機能水生成手段１５を作用させず、水道水などの水のみを吐水させることもできる。この場合、機能水を吐水させる前に後述する「前洗浄」をすることができ、例えば、シャワーヘッド７からの水滴を直接、被洗浄面全体に当てるようにし、付着した汚れを浮かせたり除去をしたりすることで、その後に行われる機能水による汚れの除去や殺菌の効果を高めることができる。
【００２９】
図６は、接続手段５と接続手段２または接続手段９との接続・分離を例示するための模式断面図である。尚、図６（ａ）は接続手段５と接続手段２または接続手段９とが分離された状態、図６（ｂ）は接続された状態を示している。また、図中の矢印は、水などの流れを示している。    
接続手段２または接続手段９は、雄管としてプラグ１８、プラグ１８の開口端を開閉可能なバルブ１９、バルブ１９を付勢する弾性部材２０を備えている。また、図３に示したように、接続手段９には保持手段９ｂが設けられている。尚、保持手段９ｂを接続手段２にも設けるようにすることもできる。  
また、接続手段５は、雌管としてのソケット２１、ソケット２１の開口端を開閉可能なバルブ２２、バルブ２２を付勢する弾性部材２３、保持手段５ａ、ソケット２１に挿入されたプラグ１８を保持するための保持手段２４、保持手段２４を付勢するための付勢手段２５を備えている。
【００３０】
プラグ１８は、ソケット２１に挿入可能とされている。    
プラグ１８の外周には溝１８ａが設けられ、プラグ１８をソケット２１に挿入したときには、保持手段２４と溝１８ａとが嵌め合わされるようになっている。  
また、プラグ１８の開口端には、保持手段９ｂが設けられている。保持手段９ｂは、プラグ１８からソケット２１が脱離（分離）しないように保持する機能を有し、例えば、電磁石、電磁力により作動するアクチュエータ、水圧により作動するアクチュエータなどを例示することができる。尚、保持手段９ｂの取り付け位置、個数、作動形式などは例示したものに限定されるわけではなく、適宜変更することができる。また、図２に示した保持手段９ａについては後述する。
【００３１】
プラグ１８の開口端には、弾性部材２０で付勢されたバルブ１９が設けられている。弾性部材２０としては、例えば、圧縮コイルバネなどを例示することができる。また、バルブ１９とプラグ１８とにはテーパ状のシール面が設けられており、バルブ１９とプラグ１８とがシール面で当接するようになっている。そのため、プラグ１８とソケット２１が分離された状態では、プラグ１８の開口端がバルブ１９により液密に閉鎖されるようになっている。
【００３２】
ソケット２１の外周には等間隔に孔が設けられ、この孔には球状の保持手段２４が嵌合されている。また、ソケット２１の外周には保持手段２４を覆うようにして付勢手段２５が設けられている。そのため、保持手段２４は、ソケット２１の内側に向けて付勢手段２５により付勢されるようになっている。  
また、ソケット２１にプラグ１８が挿入された際にソケット２１の内周面とプラグ１８の外周面とで形成される隙間をシールするための図示しないシール部材（例えば、Ｏリングなど）が適宜設けられている。
【００３３】
また、ソケット２１の開口端には、保持手段５ａが設けられている。保持手段５ａは、保持手段９ｂによる保持を容易にさせる機能を有し、例えば、永久磁石、磁性体などを例示することができる。尚、保持手段５ａの取り付け位置、個数、材質などは例示したものに限定されるわけではなく、適宜変更することができる。        
また、保持手段５ａは必ずしも必要ではなく、保持手段９ｂの保持能力などによっては設けないようにすることもできる。  
また、説明の便宜上、保持手段９ｂ、保持手段５ａがプラグ１８、ソケット２１に内蔵されている場合を例示したが、これに限定されるわけではなく、保持手段９ｂ、保持手段５ａをプラグ１８、ソケット２１の外部に設けるようにしてもよい。ただし、これらが内蔵されているようにすれば、人体への干渉の抑制や煩雑感の低減などをすることができる。
【００３４】
ソケット２１の開口端には、弾性部材２３で付勢されたバルブ２２が設けられている。弾性部材２３としては、例えば、圧縮コイルバネなどを例示することができる。また、バルブ２２とソケット２１にはテーパ状のシール面が設けられており、バルブ２２とソケット２１とがシール面で当接するようになっている。そのため、プラグ１８とソケット２１が分離された状態では、ソケット２１の開口端がバルブ２２により液密に閉鎖されるようになっている。  
また、バルブ１９とバルブ２２とには、それぞれ突起部１９ａ、２２ａが設けられている。そして、プラグ１８がソケット２１に挿入された際には、突起部１９ａ、２２ａ同士が当接するようになっている。
【００３５】
尚、説明の便宜上、接続手段５がソケット２１側、接続手段２または接続手段９がプラグ１８側としたが、接続手段５がプラグ１８側、接続手段２または接続手段９がソケット２１側とすることもできる。ただし、電気配線の容易さの観点からは、保持手段９ｂは、固定側である接続手段２または接続手段９の側に設けるようにすることが好ましい。
【００３６】
接続手段２、接続手段５、接続手段９は、以上に説明をした構成に限定されるわけではない。例えば、それぞれが接続可能であればいかなる形式のものをも採用することができる。ただし、接続・分離の操作性からは、いわゆる「ワンタッチ式」の接続手段であることが好ましい。そして、それらに保持手段９ｂ、保持手段５ａを内蔵させるようにすることもできるし、外部に保持手段９ｂ、保持手段５ａを設けるようにすることもできる。
【００３７】
図６に例示をしたものは、保持手段９ｂが電磁石、保持手段５ａが永久磁石または磁性体の場合である。この場合、保持手段９ｂである電磁石へ通電することで、保持手段５ａである永久磁石または磁性体が吸引保持され、接続手段９に接続手段５が保持される。そして、保持手段９ｂである電磁石への通電を停止することで、接続手段９と接続手段５とが分離可能となる。また、保持手段９ｂの制御は、図示しない検知手段により水圧や流速などを検知して制御手段１７により行われるものとすることができる。
【００３８】
尚、保持手段９ｂ、保持手段５ａは、図６に例示をしたものに限定されるわけではなく、例えば、外部から通電をすることで保持の解除がされるものであったり、吐水がされることによる水圧の変化や流速の変化などでアクチュエータが機械的に作動して保持がされるようなものであってもよい。  
図３または図６に例示をした保持手段９ｂは、接続手段５と接続手段９の接続部を直接的に保持するものである。これに対し、図２に例示をした保持手段９ａは、湯水混合水栓８による吐水の切替にともない接続手段５が保持されるものである。
【００３９】
図７は、保持手段９ａを例示するための模式図である。    
尚、図７（ａ）は模式斜視図、図７（ｂ）は図７（ａ）中のＡ部の模式拡大図である。また、図７（ｃ）は保持手段の他の具体例である。  
図７（ａ）に示すように、湯水混合水栓８の切替ハンドル８ｂには保持手段９ａが設けられている。    
切替ハンドル８ｂは、「カラン８ａへの通水」、「接続手段９への通水（シャワーユニット４への通水）」、「止水」を切り替えるためのものであり、例えば、図７（ｂ）に示すように、ハンドルの動作範囲の中心付近を「止水」、上方端を「接続手段９への通水（シャワーユニット４への通水）」、下方端を「カラン８ａへの通水」とすることができる。
【００４０】
そして、切替ハンドル８ｂの動作に連動するように保持手段９ａを設けることで、切替ハンドル８ｂが「接続手段９への通水（シャワーユニット４への通水）」の位置にあるときにのみ保持手段９ａが接続手段５を保持するようになっている。すなわち、切替ハンドル８ｂは、保持手段９ａによる保持と、保持の解除とを切り替える切替手段としても機能する。
例えば、図７（ｂ）の左図では切替ハンドル８ｂが「止水」の位置にあるため、接続手段５が保持されておらず分離が可能となっている。尚、切替ハンドル８ｂが「カラン８ａへの通水」の位置にある場合も同様である。この場合、接続手段５が分離可能な位置では接続手段９への通水（シャワーユニット４への通水）が行われることはなく、接続手段５の分離にともない接続手段９から水が漏れることがない。
【００４１】
そして、図７（ｂ）の右図に示すように切替ハンドル８ｂが「接続手段９への通水（シャワーユニット４への通水）」の位置にあるときには、保持手段９ａが接続手段５を保持するので、接続手段９から接続手段５が脱離することがない。
【００４２】
図７に例示をしたものでは、切替ハンドル８ｂが「止水」、「カラン８ａへの通水」の位置にあるときに接続手段５を分離可能としているが、「止水」の位置にあるときにのみ接続手段５を分離可能とすることが好ましい。例えば、図７（ｃ）に示すように、保持手段９ａに対向するように保持手段９ｃを設けて、切替ハンドル８ｂが「止水」の位置にあるときにのみ接続手段５を分離可能とすることができる。
【００４３】
また、図７（ｂ）の右図に示す位置に切替ハンドル８ｂがある場合において、接続手段５を分離させるために下方に引き抜くと、保持手段９ａが押されて切替ハンドル８ｂが回転し、「接続手段９への通水（シャワーユニット４への通水）」が停止されるようにすることもできる。この場合、切替ハンドル８ｂが「止水」、「カラン８ａへの通水」のいずれの位置に移動するようにされていてもよいが、「止水」の位置に移動するようにされていることがより好ましい。  
尚、図７に例示をしたものでは、切替ハンドル８ｂに保持手段９ａ、や保持手段９ｃを直接設けるものとしたが、切替ハンドル８ｂに連動して保持手段が接続手段５を保持するものであればよく、例えば、リンクなどを介して切替ハンドル８ｂの動作を間接的に保持手段に伝達するようなものであってもよい。
【００４４】
図８は、接続手段の接続・分離に伴う切替ハンドルの切り替えを例示するための模式図である。    
図８（ａ）は切替ハンドル８ｂが「接続手段９への通水（シャワーユニット４への通水）」の位置にある場合を示し、図８（ｂ）は切替ハンドル８ｂが「止水」の位置にある場合を示している。  
図８（ａ）に示すように、接続手段９には保持板９０ｂが突出可能となるように設けられている。保持板９０ｂは、図中の矢印方向に突出・後退可能とされており、接続手段９に接続手段５を接続することで、その下端面が接続手段５に押されて切替ハンドル８ｂの方向に突出するようになっている。
【００４５】
そして、図８（ｂ）に示すように、接続手段９から接続手段５を分離させれば、保持板９０ｂは図示しない弾性部材、または自重などにより後退（下降）するようになっている。  また、図８（ａ）に示すように、切替ハンドル８ｂにはロックレバー９０ａが設けられている。ロックレバー９０ａは、図示しない弾性部材などにより、図中の矢印方向に突出可能とされている。    
そして、ロックレバー９０ａの先端が保持板９０ｂに設けられた孔に挿入可能となっており、ロックレバー９０ａの先端が孔に挿入されることで切替ハンドル８ｂの位置が「接続手段９への通水（シャワーユニット４への通水）」の位置に保持されるようになっている。
【００４６】
図８（ａ）に示すように、接続手段９に接続手段５を接続させる際に、保持板９０ｂはその下端面を接続手段５により押されるのでその位置が上昇する。その際、まず、保持板９０ｂの先端がロックレバー９０ａと当接して、切替ハンドル８ｂを時計回りに回転させるので、切替ハンドル８ｂが「接続手段９への通水（シャワーユニット４への通水）」の位置に切り替えられる。また、保持板９０ｂがさらに上昇することで、ロックレバー９０ａの先端が切替ハンドル８ｂ側に後退し、保持板９０ｂの側面を擦るようにしながら孔に挿入される。その結果、切替ハンドル８ｂは「接続手段９への通水（シャワーユニット４への通水）」の位置に保持されることになる。
【００４７】
図８（ｂ）に示すように、接続手段９から接続手段５を分離させる際には、保持板９０ｂが下降するため、孔に挿入されたロックレバー９０ａを介して切替ハンドル８ｂが反時計回りに回転させられる。そのため、切替ハンドル８ｂは「止水」の位置に切り替えられる。そして、保持板９０ｂがさらに下降することで、ロックレバー９０ａの先端が切替ハンドル８ｂ側に後退し、保持板９０ｂの側面を擦るようにしながら保持板９０ｂの先端が通り過ぎたときに再び突出する。
【００４８】
また、図８（ａ）に示す位置に切替ハンドル８ｂがある場合において、接続手段５を分離させるために下方に引き抜けば、保持板９０ｂが下降するため、切替ハンドル８ｂが反時計方向に回転して、「止水」の位置に切り替えられることになる。  
次に、図６に戻って接続手段５と接続手段２または接続手段９との接続、分離について説明をする。      
図６（ａ）に示すように、接続手段５と接続手段２または接続手段９とが分離された状態では、バルブ１９、バルブ２２によりプラグ１８、ソケット２１の開口端が閉鎖されるので、水や機能水がプラグ１８、ソケット２１の開口端から漏れ出すことはない。
【００４９】
図６（ｂ）に示すように、ソケット２１をプラグ１８に挿入すると、プラグ１８に設けられた溝１８ａとソケット２１に設けられた保持手段２４とが嵌め合わされる。この際、付勢手段２５により保持手段２４が溝１８ａに向けて付勢されるため、プラグ１８とソケット２１とが一体的に接続される。
【００５０】
また、バルブ１９に設けられた突起部１９ａと、バルブ２２に設けられた突起部２２ａとが互いに当接し、弾性部材２０、弾性部材２３が押し縮められてプラグ１８、ソケット２１の開口端が開口される。そのため、プラグ１８とソケット２１とが一体的に接続された状態で、水や機能水などの通水が可能となり、ホース６を介してシャワーヘッド７から吐水ができるようになる。  
また、接続手段５と接続手段９とを接続させた後、吐水を行う際には、例えば、保持手段９ｂに通電をすることで、保持手段９ｂに保持手段５ａを吸引保持させる。    
また、吐水の終了後、接続手段５と接続手段９とを分離する際には、例えば、保持手段９ｂへの通電を停止することで、吸引保持を解除させる。
【００５１】
その後、ソケット２１を引き抜くようにすれば、保持手段２４が付勢手段２５を押し広げるようにして溝１８ａから外れるので分離をさせることができる。この際、バルブ１９、バルブ２２によりプラグ１８、ソケット２１の開口端は閉鎖される。
【００５２】
尚、例えば、保持手段９ｂが水圧により作動するアクチュエータのような場合は、接続手段５と接続手段９とを接続させた後、吐水を行えば水圧が変化するので、それを利用して保持がされるようにすることもできる。
【００５３】
また、前述したロックレバー９０ａと保持板９０ｂのように切替ハンドル８ｂと連動するものにおいては、接続手段５と接続手段９とが接続されることで切替ハンドル８ｂが「接続手段９への通水（シャワーユニット４への通水）」の位置に切替、保持される。また、保持手段９ａの場合においては接続手段５の保持がなされる。  
【００５４】
次に、水回り設備システム１の作用について説明をする。
尚、説明の便宜上、浴室１０に設けられた水回り設備システム１について説明をする。
図９は、水回り設備システム１の作用を例示するためのフローチャートである。    
まず、人体洗浄や前洗浄などでシャワーユニット４を使用するために、湯水混合水栓８に設けられた接続手段９に接続手段５を接続する。そして、切替ハンドル８ｂを「接続手段９への通水（シャワーユニット４への通水）」の位置に切り替える。  
その場合、前述したように保持手段９ａ、保持手段９ｂなどにより接続手段５が保持される。  
そのため、接続手段５が保持された状態で、シャワーユニット４のシャワーヘッド７から吐水がされる。
【００５５】
人体洗浄や前洗浄などが終了した後には、切替ハンドル８ｂを「止水」の位置に切り替えて、シャワーヘッド７からの吐水を止める。その際、シャワーヘッド７からの吐水が止まるとともに接続手段５に対する保持が解除される。
【００５６】
次に、接続手段９から接続手段５を分離する。すなわち、湯水混合水栓８よりシャワーユニット４を分離する。  
次に、機能水生成システム１６に設けられた接続手段２に接続手段５を接続する。すなわち、接続手段２を介して機能水生成システム１６にシャワーユニット４を接続する。
【００５７】
次に、操作手段３を操作して、吐水と機能水生成の指令を入力する。そして、制御手段１７からの指令により、開閉弁１４が開かれ、機能水生成手段１５による機能水の生成が開始される。生成された機能水は、シャワーヘッド７から吐水されることになる。    
また、機能水による浴室１０内の洗浄や殺菌などが終了した後には、操作手段３を操作して、吐水停止と機能水生成停止の指令を入力する。    
そして、制御手段１７からの指令により機能水の生成が停止され、その後、開閉弁１４が閉じられ、一連の運転が終了する。
【００５８】
本実施の形態においては、湯水混合水栓８側におけるシャワーユニット４からの吐水の最中には、保持手段９ａ、９ｂなどによる保持が行われるので、接続手段５が接続手段９から脱離することはない。そのため、接続手段の脱離により操作者が不用意に水や温水を浴びるようなことはない。
一方、シャワーユニット４からの吐水がされていないときには、保持手段９ａ、９ｂなどによる保持が解除されるので、接続手段５を接続手段９から簡単に分離させることができる。また、保持手段９ａの場合やロックレバー９０ａ・保持板９０ｂの場合においては、接続手段５を分離させれば切替ハンドル８ｂが「止水」の位置に切り替えられる。
【００５９】
尚、接続手段５を分離させることができない場合（吐水の最中）には、そのことを音や表示により操作者に告知することもできる。    
図９に例示をした本実施の形態においては、機能水の吐水に先立ち、水道水などの水Ｃまたは温水Ｈによる前洗浄を行うこともできる。前洗浄は、湯水混合水栓８とシャワーユニット４とが接続されている状態でも行うことができるが、機能水生成システム１６とシャワーユニット４とを接続し、操作手段３を操作して吐水の指令のみを入力することで、水Ｃまたは温水Ｈを吐水させるようにして行うこともできる。   
この場合、例えば、洗い場などに石鹸かすや皮脂、垢などの有機物汚れが残っていれば、その状態で殺菌水を吐水しても、有機物と殺菌成分とが化学的結合をおこしその効力が減ぜられるおそれがある。そのため、前洗浄を行うようにすれば、有機物汚れを除去することができるので、その後に行われる殺菌水吐水の効果を高めることができる。
【００６０】
また、操作手段３を操作して水Ｃ・温水Ｈと機能水の吐水を任意に切り替えることができるので、操作者の判断で状況に応じた最適な洗浄作業をすることができる。  
また、機能水の吐水、前洗浄における吐水では、開閉弁１４の開閉により吐水を断続的にしたりすることなどにより、洗浄効果を高めることもできる。また、機能水の吐水、前洗浄における吐水において、温水Ｈを用いるものとすればそれぞれの効果を高めることもできる。
【００６１】
また、保持具２６の配置を、保持具２６にシャワーヘッド７を保持させた際に、接続手段５が接続手段２または接続手段９のいずれとも接続可能な位置とすれば、接続・分離時の作業性を向上させることができる。  
また、接続手段５にはバルブ２２が設けられ、接続手段２・接続手段９にはバルブ１９が設けられているので、分離時に操作者が水Ｃ、温水Ｈ、機能水を浴びてしまうようなこともない。
【００６２】
以上、具体例を参照しつつ、本発明の実施の形態について説明をした。しかし、本発明はこれらの具体例に限定されるものではない。  
前述の具体例に関して、当業者が適宜設計変更を加えたものも、本発明の特徴を備えている限り、本発明の範囲に包含される。
【００６３】
例えば、機能水生成システム１６、シャワーユニット４、湯水混合水栓８などの構成要素、浴室１０やこれに備えられる浴槽１１、カウンター１２、洗い場床面１３、保持具２６などの形状、寸法、材質、配置などは、例示したものに限定されるわけではなく適宜変更することができる。  
また、前述した各具体例が備える各要素は、可能な限りにおいて組み合わせることができ、これらを組み合わせたものも本発明の特徴を含む限り本発明の範囲に包含される。
【図面の簡単な説明】
【００６４】
【図１】本発明の実施の形態に係る水回り設備システムを浴室ユニットに適用させた場合を例示するための模式斜視図である。
【図２】水回り設備システムの構成を例示するための模式図である。
【図３】水回り設備システムの構成を例示するための模式図である。
【図４】機能水生成手段として用いることができるオゾン水生成手段を例示するための模式断面図である。
【図５】機能水生成手段として用いることができる創水手段を例示するための模式断面図である。
【図６】接続手段５の接続・分離を例示するための模式断面図である。
【図７】保持手段を例示するための模式図である。
【図８】接続手段の接続・分離に伴う切替ハンドルの切り替えを例示するための模式図である。
【図９】水回り設備システム１の作用を例示するためのフローチャートである。
【符号の説明】
【００６５】
１  水回り設備システム、２  接続手段、３  操作手段、３ａ〜３ｄ  スイッチ、４  シャワーユニット、５  接続手段、６  ホース、７  シャワーヘッド、８  湯水混合水栓、８ｂ  切替ハンドル、９  接続手段、９ａ  保持手段、９ｂ  保持手段、１２  カウンター、１４  開閉弁、１５  機能水生成手段、１７  制御手段、１８  プラグ、１８ａ  溝、１９  バルブ、２０  弾性部材、２１  ソケット、２２  バルブ、２３  弾性部材、２４  保持手段、２５  付勢手段、２６  保持具、９０ａ  ロックレバー、９０ｂ  保持板、Ｃ  水、Ｈ  温水
【図１】
2008266967.tif 000003
【図２】
2008266967.tif 000004
【図３】
2008266967.tif 000005
【図４】
2008266967.tif 000006
【図５】
2008266967.tif 000007
【図６】
2008266967.tif 000008
【図７】
2008266967.tif 000009
【図８】
2008266967.tif 000010
【図９】
2008266967.tif 000011